(57)【要約】      （修正有）【課題】入口の軸線と出口の軸線とが９０度に交わる配線部材において、一方の開口から進入させたハーネスの先端のコネクタを容易に出口側から引き出すことができ、作業効率を向上させる技術を提供する。【解決手段】配線部材２は、入口からこの入口の軸線に沿って進入されるハーネスの先端のコネクタ３１を、出口側の軸線に沿うように進入方向を変化させるガイド面２３ａを配線部材内に設けた。【選択図】図４
2020078119.tif 000002
【特許請求の範囲】
【請求項１】
器具本体に取り付けられ、器具本体の内部から外部に向かって延出されるハーネスが挿通される中空の配線部材であって、この配線部材の一方の端部の開口の軸線と他方の端部の開口の軸線とが所定の角度で交差するものにおいて、上記両開口の各軸線上に、各軸線に対してほぼ直角な外周面を有する２枚の壁板部分を備えると共に、これら２枚の内周面の内側に、上記一方の開口からこの開口の軸線に沿って進入されるハーネスの先端を他方の軸線に沿うように進入方向を変化させるガイド面を設けたことを特徴とする配線部材。
【請求項２】
上記ガイド面は上記ハーネスの先端の進入方向を連続して変化させる曲面で構成されることを特徴とする請求項１に記載の配線部材。
【請求項３】
上記ガイド面は上記ハーネスの先端の進入方向を段階的に変化させる１またはそれ以上の平面で構成されることを特徴とする請求項１に記載の配線部材。
【請求項４】
上記ガイド面は、配線部材内部の全幅にわたって形成されるのではなく、両軸線上に位置する一部に設けられていることを特徴とする請求項１から請求項３のいずれかに記載の配線部材。
【請求項５】
上記ガイド面は、配線部材内部の全幅にわたって形成されるのではなく、両軸線を挟んで形成された複数個所に設けられていることを特徴とする請求項１から請求項３のいずれかに記載の配線部材。
【発明の詳細な説明】
【技術分野】
【０００１】
本発明は、器具本体に取り付けられ、器具本体の内部から外部に向かって延出されるハーネスが挿通される中空の配線部材に関する。
【背景技術】
【０００２】
例えば、長尺の照明器具では、その長尺の照明器具の本体内にＬＥＤなどの発光体を内蔵しており、その発光体を発光させるための電力を外部からハーネスを介して供給している。一般的に、このハーネスは一端が本体内に接続されており、また照明器具の本体の両端部には配線部材が取り付けられており、このハーネスは配線部材内を通って外部に延出される。従って、上記配線部材を照明器具の本体に取り付ける際には、本体から延出されているハーネスを配線部材内に通し、その状態で配線部材を照明器具の本体に取り付ける必要がある（例えば、特許文献１参照）。
【先行技術文献】
【特許文献】
【０００３】
【特許文献１】特開２００５−２３５１８号公報（図２）
【発明の概要】
【発明が解決しようとする課題】
【０００４】
上記配線部材は中空に形成されており、この配線部材内にハーネスを通す場合には、ハーネスの他端を配線部材の一方の開口内に進入させ、更にハーネスを配線部材内に送り込み、ハーネスの他端が配線部材の他方の開口から出てくるようにする。ハーネスの他端が配線部材の他方の開口から出てくると、そのハーネスの他端を把持してハーネスを配線部材から引き出すことによって、ハーネスを配線部材内に通すことができる。
【０００５】
このように、ハーネスを配線部材内に通す作業を行う際に、上記特許文献１に記載されているように、配線部材の内周面が曲面で形成されてる場合には、一方の開口から進入させたハーネスの他端が、その曲面に沿って進入方向を変え、スムーズにその進入方向を他方の開口に向けることができる。そのため、ハーネスを一方の開口から配線部材内に進入させるだけで、ハーネスの他端は配線部材の他方の開口から出てくることができる。
【０００６】
ところが、デザイン上の要請等から、この配線部材を特開２００８−１０４２４８号公報に記載されているように、弯曲してる部分に曲面を形成しない場合には、一方の開口から進入させたハーネスの他端が配線部材内で配線部材の内周面に突き当たって、ハーネスの他端の進入方向が他方の開口に向かわないという不具合が生じる。
【０００７】
このような不具合が生じると、配線部材の他方の開口からフックやピンセットなどの器具を用いてハーネスの他端を配線部材の他方の開口側から引き出さなければならず、作業効率が著しく低下する。
【０００８】
そこで本発明は、上記の問題点に鑑み、配線部材の弯曲した部分の外周面が曲面で形成されていなくても、器具等を用いることなくハーネスを内部に通すことができる配線部材を提供することを課題とする。
【課題を解決するための手段】
【０００９】
上記課題を解決するために本発明による配線部材は、器具本体に取り付けられ、器具本体の内部から外部に向かって延出されるハーネスが挿通される中空の配線部材であって、この配線部材の一方の端部の開口の軸線と他方の端部の開口の軸線とが所定の角度で交差するものにおいて、上記両開口の各軸線上に、各軸線に対してほぼ直角な外周面を有する２枚の壁板部分を備えると共に、これら２枚の内周面の内側に、上記一方の開口からこの開口の軸線に沿って進入されるハーネスの先端を他方の軸線に沿うように進入方向を変化させるガイド面を設けたことを特徴とする。
【００１０】
上記壁板部分の外周面が軸線に対してほぼ直角である場合には、その壁板部分の内周面も同様に軸線に対してほぼ直角となる場合が多い。ハーネスの先端を配線部材内に進入させると、この壁板部分の内周面にハーネスの先端部分が当接するが、軸線に対して直角であればハーネスの先端はその内周面に衝突した状態のまま進入方向を変更することができない。そのため、一方の端部の開口からハーネスを配線部材内に進入させても、そのハーネスの先端部分が他方の端部の開口から出てこない。そこで、上記ガイド面を設けることにより、一方の端部の開口から進入したハーネスの先端を他方の軸線に沿うように進入方向を変化させ、他方の端部の開口からハーネスの先端が出るようにした。
【００１１】
上記ガイド面は上記ハーネスの先端の進入方向を連続して変化させる曲面で構成してもよい。
【００１２】
あるいは、上記ガイド面は上記ハーネスの先端の進入方向を段階的に変化させてもよい。
【００１３】
また、上記ガイド面は、配線部材内部の全幅にわたって形成されるのではなく、両軸線上に位置する一部に設けてもよい。
【００１４】
あるいは、上記ガイド面は、配線部材内部の全幅にわたって形成されるのではなく、両軸線を挟んで形成された複数個所に設けてもよい。
【発明の効果】
【００１５】
以上の説明から明らかなように、本発明は、デザイン上の要請等から軸線に対してほぼ直角な外周面を有する壁板部分を設けていても、別途の工具などを用いることなく、配線部材の一方の端部の開口から内部に進入させたハーネスの先端を他方の端部の開口から出すことができ、ハーネスを配線部材内に挿通する工数が削減される。
【図面の簡単な説明】
【００１６】
【図１】本発明の一実施の形態の構成を示す図
【図２】照明器具本体から配線部材を取り外した状態を示す斜視図
【図３】配線部材の外観を示す斜視図
【図４】IV-IV断面図
【図５】配線部材内のハーネスの挿通状態を示す図
【図６】配線部材の他の実施の形態を示す断面図
【図７】VII-VII断面図
【発明を実施するための形態】
【００１７】
図１および図２を参照して、１は本発明による照明器具の一例である。この照明器具１は壁面に取り付けられ、その壁面の裏側にハーネス３が導かれ、このハーネス３を介して、上記照明器具１に外部から給電される。なおハーネス３の先端にはコネクタ３１が取り付けられている。照明器具１は照明器具本体１１とその一方の端部に取り付けられた配線部材２と他方の端部に取り付けられたキャップ１２とから構成されている。
【００１８】
この配線部材２は、図３および図４に示すように、樹脂の射出成型によって中空形状に成型されており、一方の端部の開口２１からハーネス３の先端のコネクタ３１が、開口２１の軸線に沿ってＡ方向に挿入されると、他方の端部の開口２２からこの開口２２の軸線に沿ってＢ方向にコネクタ３１が出てくるように構成されている。
【００１９】
その構成について図４を参照して更に詳述すると、開口２１の軸線に対して直角な外周面２１ａが設けられ、同じく開口２２の軸線に対して直角な外周面２２ａが設けられている。これら２つの外周面２１ａ，２２ａはデザイン上の要請から、軸線に対して斜めや曲面に形成することができない。そのため、開口２１からＡ方向に沿って内部に進入したコネクタ３１は外周面２１ａに対応する内周面２１ｂに衝突し、その進入方向をＢ方向に変向することができない。そのため、ハーネス３を配線部材２内にそれ以上進入させることができず、コネクタ３１を開口２２から引き出すことができない。
【００２０】
そこで、本発明では、上記外周面２１ａに対向する内周面２１ｂと、同じく外周面２２ａに対向する内周面２２ｂとに跨るリブ２３を各開口２１，２２の軸線上に位置して設け、そのリブ２３に曲面状のガイド面２３ａを形成した。このように構成することによって、開口２１からＡ方向に進入したコネクタ３１はガイド面２３ａに当接し、曲面であるガイド面２３ａにガイドされて、コネクタ３１の進入方向が開口２２の軸線方向に変向され、更に進入方向に進むことによって、コネクタ３１は開口２２からＢ方向に進んで外部に出ることになる。
【００２１】
コネクタ３１が開口２２から出ると、何らの工具やジグを用いることなく、そのコネクタ３１を摘まんでハーネス３を更に配線部材２から引き出すことによって、図５に示す状態になる。なお、１１ａは照明器具本体１１に内蔵されている基板であり、この基板１１ａにＬＥＤや各種電子部品が実装され、かつハーネス３の後端がこの基板１１ａに固定されている。
【００２２】
ところで、上記リブ２３に設けたガイド面２３ａは曲面状にしたが、必ずしもガイド面は曲面状である必要はなく、例えば、図６に示すように、傾斜角度の異なる複数の斜面２３ｂ，２３ｃを設けて、両斜面によってガイド面を構成するようにしてもよい。
【００２３】
また、上述の実施の形態では、一枚のリブ２３を軸線上に設けたが、例えば、図７に示すように、軸線を挟んで２カ所にリブ２４，２４を設けてもよい。なお、リブを図において左右方向全幅に設けるのではなく、軸線上の１ヶ所、もしくは図７に示すように、軸線を挟む複数箇所に設けることによって、外周面２１ａ，２２ａに「引け」が生ずることを防止することができる。また、コネクタ３１はハーネス３の先端よりも幅方向の寸法が広いので、このように、配線部材２の左右方向全幅にリブを設けなくても、１ヶ所のリブ、もしくは図７に示す２ヶ所のリブにコネクタ３１が当接して、十分にその進入方向をＢ方向に変向することができる。
【００２４】
なお、本発明は上記した形態に限定されるものではなく、本発明の要旨を逸脱しない範囲内において種々の変更を加えてもかまわない。
【符号の説明】
【００２５】
１ 照明器具
２ 配線部材
３ ハーネス
１１ 照明器具本体
１１ａ 基板
１２ キャップ
２１ 開口
２１ａ 外周面
２１ｂ 内周面
２２ 開口
２２ａ 外周面
２２ｂ 内周面
２３ リブ
２３ａ ガイド面
２４ リブ
３１ コネクタ
【図１】
2020078119.tif 000003
【図２】
2020078119.tif 000004
【図３】
2020078119.tif 000005
【図４】
2020078119.tif 000006
【図５】
2020078119.tif 000007
【図６】
2020078119.tif 000008
【図７】
2020078119.tif 000009